(57)【要約】【課題】装置が小型で低騒音でありながら、かつ換気速度が大きく、実際の生活空間に於いても有効に大気中のアレルゲン物質の除去が可能である空気清浄機を提供すること。【解決手段】羽根の回転数が１０００ｒｐｍ以上の軸流ファンと、該ファンの下流側（排気側）および／または該ファンの上流側（吸気側）に、通気量が１００ｍｌ／ｃｍ２／秒以上である不織布を設置し、風量が４ｍ３／分以上である空気清浄機。【選択図】なし【特許請求の範囲】
【請求項１】
羽根の回転数が１０００ｒｐｍ以上の軸流ファンと、該ファンの下流側（排気側）および／または該ファンの上流側（吸気側）に、通気量が１００ｍｌ／ｃｍ２／秒以上である不織布を設置し、風量が４ｍ３／分以上である空気清浄機。
【請求項２】
前記不織布が、粘着剤を塗布した不織布である請求項１に記載の空気清浄機。
【請求項３】
前記不織布が、コロナ帯電処理を施した不織布である請求項１に記載の空気清浄機。
【発明の詳細な説明】
【技術分野】
【０００１】
本発明は室内における大気中のアレルゲン物質の除去を主たる目的とする新規な空気清浄機に関する。特に、装置が小型で低騒音でありながら、換気速度が大きく、実際の生活空間に於いても有効に大気中のアレルゲン物質の除去が可能である空気清浄機に関する。
【背景技術】
【０００２】
室内空間の大気中に含まれる汚染物質として、たばこの煙、外気から侵入する車等の排気ガス、ＮＯＸ、ＳＯＸ等の様々な大気汚染化学物質や、カビ菌、花粉、ダニの糞や死骸等の生物由来のアレルゲン物質等が挙げられ、これらは人の健康に有害であるため、室内空間から速やかに除去されることが望ましい。このため、従来から高性能のフィルターを搭載した空気清浄機が利用され、特にフィルターとしては、例えば特許文献１に記載されるような、単に除塵機能だけでなく、化学的、物理的な吸着を利用した脱臭フィルターとしての活性炭フィルターや酸化チタンの光触媒機能を利用したフィルター、或いは様々な抗菌剤を含んだ抗菌フィルターなど様々なフィルターが、プレフィルター、メインフィルター、脱臭フィルター、抗菌フィルター等として互いに組み合わせて利用されてきた。
【０００３】
特に除塵性能の高いフィルターとしては、ＨＥＰＡフィルターや、或いはＵＬＰＡフィルターとして呼称される、粒子径が高々０．３μｍ以下である浮游粒子の除去効率が極めて高いフィルターが用いられ、これにより、空気中に浮游するウィルスやたばこの煙等の除去が効果的に行われている。
【０００４】
上記のようなＨＥＰＡフィルターやＵＬＰＡフィルターは極めて微細な繊維が密に充填された構造を有することから、圧力損失が大きく、こうしたフィルターを通して、清浄な空気を室内に送り込むためには、静圧の高いファンが必要となり、大風量でかつ静圧の高いファンとしてシロッコファンが用いられる場合が多い。シロッコファンを搭載する空気清浄機は後述する高性能フィルターと組み合わせて用いることで、空気中の様々な汚染物質を効率よく捕捉除去出来る空気清浄機が実現出来るが、装置の小型化が困難であり、また換気速度を高めようとした場合、騒音が大きくなる問題等があった。
【０００５】
空気清浄機の換気速度は、実際の室内空間の空気を清浄する能力に於いて極めて重要な因子である。即ち、室内空間の大きさに対応して、相応の換気速度、即ち空気清浄速度が必要となる。加えて、室内空間は密閉構造とは限らず、例えば、現在の建築基準法において、室内の換気速度として少なくとも時間当たり０．５回の換気が必要とされている。従って、絶えず外気が入り込み、かつ人の出入りが頻繁であるような場合に於いて、有効に実際の生活空間の空気清浄を行うためには、相応の換気能力を備えた空気清浄機を使用する必要があり、或いは複数台の空気清浄機を使用する必要がある。現在様々な空気清浄機が市販され、多くの家庭に於いて使用されているが、空気清浄機が使用される実際の生活空間の大きさと、空気清浄機の性能が必ずしも釣り合っておらず、特にアトピー、喘息や花粉症などアレルギー性疾患で悩んでいる家庭に於いて有効に大気中に浮游するアレルゲン物質を除去したい要望があっても、十分なアレルゲン物質除去性能を有していない空気清浄機が多いことから、実際の生活空間に於いても有効に大気中のアレルゲン物質の除去が可能である空気清浄機の実現が切望されているのが現状である。
【０００６】
非特許文献１には、室内空間において浮游する花粉やダニアレルゲンの大きさを測定し、それぞれ３０μｍおよび５μｍ以上であることから市販される空気清浄機で除去することは合理的であるとしているものの、実際に市販される様々な種類の空気清浄機を用いて空気清浄効果を測定したところ、必ずしも満足出来る性能が発揮されないことを報告している。また、非特許文献２においても、大気中に浮游するアレルゲン物質による室内空気の汚染とその除去対策の重要性について触れているが、現状では必ずしも十分な効果を発揮出来る対策が無いのが実情である。実際に効果を発揮するためには、空気清浄機のフィルターを通過して清浄する換気速度を増大させる必要があり、このことはファンの風速を増大することを意味するが、上記のような従来の様々な空気清浄用フィルターでは圧力損失が大きく、ファンに過大の負荷がかかると共に騒音が著しく増加することから、自ずと換気速度には上限があった。
【０００７】
更には、フィルターに様々な物質が捉えられ、目詰まりを生じてフィルターの性能を低下する問題や、更にはフィルターに捉えられた様々な汚染物質が再飛散して、室内の空気を汚染する問題があった。特に、先に述べた様々な大気中に浮游するアレルゲン物質がフィルターに蓄積し、フィルター自体の掃除を頻繁に行わない場合には、フィルターおよび空気清浄機そのものが汚染源になる場合もあった。
【０００８】
フィルターに捕捉された汚染物質の再飛散を防止するため、例えば特許文献２では、ファンの下流側にフィルターを設置する方法が開示されている。この場合には、ファンから送風される風量に対して、フィルターに捕捉された汚染物質が再飛散しないよう防止するために、フィルターとしては捕捉効率の高いＨＥＰＡフィルターや、或いはＵＬＰＡフィルターが用いられるが、ファンとして軸流ファンを利用する場合にはフィルターの圧力損失が高くなり、換気速度が顕著に低下する問題があった。
【０００９】
空気清浄機の搭載されるファンとして、軸流ファンを利用する場合には、大きさがコンパクトでありながら相対的に風量が大きいという特徴を利用した、換気速度の高い効率的な空気清浄機が期待される。例えば、特許文献３には、軸流ファンの上流側にフィルターを設置し、ファンの下流側に向けて排気する空気清浄機が開示されている。この場合には、軸流ファンから発生する騒音を低減するために、吸音材が軸流ファンを収納する箇所に設置されており、コンパクトでかつ比較的騒音の少ない空気清浄機が提案されているが、使用するフィルターとして、帯板を複数の山形に曲折して環状に形成したフィルターを使用するため、圧力損失が大きく、十分な換気速度が得られるものではなかった。同様な軸流ファンを利用する空気清浄機については特許文献４、５等の例を挙げることが出来るが、同様に十分な換気速度が得られるものではなかった。
【００１０】
特許文献６には、扇風機の羽根ガードの中央部分にフィルターを設置する例が記載されるが、送風される大部分の風はフィルターを介することなく通過するため、空気清浄能力に極めて乏しい問題があった。
【００１１】
以上述べてきたように、空気清浄機として、実際の生活空間の空気清浄を行うためには、換気速度が大きく、フィルターの除塵性能が良好で、かつ騒音の発生が防止された装置が望まれている。特に小型で低騒音でありながら、室内空間において空気清浄能力が十分な装置が望まれている。特に、室内から除去すべき汚染物質として先に述べたような、カビ菌、花粉、ダニの糞や死骸等の生物由来のアレルゲン物質の除去が極めて重要である。これらはアレルギー性気道疾患の原因として、特に喘息を引き起こす重要な原因物質であり、或いはアトピー性皮膚炎の予防、治療対策として様々なアレルゲン物質を生活空間から除去することが望まれているが、例えば非特許文献３には、実際の大気中に浮游する微生物の大きさについて述べており、カビ菌糸や細菌などの大きさは概ね１μｍ以上であることを紹介している。従来の様々な空気清浄機は、こうした大気中のアレルゲン物質の除去に特化した機能を有するものではなく、たばこの煙等の臭気物質や或いはウィルス等の極めて微細な浮遊物質の除去をも意図するため、必然的にフィルターとしても前述したＨＥＰＡフィルターやＵＬＰＡフィルターを利用する必要が出てくるため、十分な換気速度が得にくく、こうしたアレルゲン物質の実際の生活空間からの有効な除去に関しては十分な性能を発揮出来るものではなかった。
【先行技術文献】
【特許文献】
【００１２】
【特許文献１】特開昭６３−１３７７２５号公報
【特許文献２】特開２００８−９３６３９号公報
【特許文献３】特開平９−８４８号公報
【特許文献４】特開平１１−１８２９１８号公報
【特許文献５】特開２０００−２６２６０１号公報
【特許文献６】特開２００５−２０１１９２号公報
【非特許文献】
【００１３】
【非特許文献１】入江建久、「エアロゾル研究」、１３（１）、５−１２（１９９８）
【非特許文献２】池田耕一、「エアロゾル研究」、１５（１）、５−１３（２０００）
【非特許文献３】渋谷勝利、「エアロゾル研究」、１８（３）、１７２−１７６（２００３）
【発明の概要】
【発明が解決しようとする課題】
【００１４】
本発明は、室内における大気中のアレルゲン物質の除去を主たる目的とする空気清浄機に関し、特に、装置が小型で低騒音でありながら、かつ換気速度が大きく、実際の生活空間に於いても有効に大気中のアレルゲン物質の除去が可能である空気清浄機を提供することを課題とする。
【課題を解決するための手段】
【００１５】
本発明の課題は、以下の発明により解決される。
１．羽根の回転数が１０００ｒｐｍ以上の軸流ファンと、該ファンの下流側（排気側）および／または該ファンの上流側（吸気側）に、通気量が１００ｍｌ／ｃｍ２／秒以上である不織布を設置し、風量が４ｍ３／分以上である空気清浄機。
２．上記不織布が、粘着剤を塗布した不織布である上記１に記載の空気清浄機。
３．上記不織布が、コロナ帯電処理を施した不織布である上記１に記載の空気清浄機。
【発明の効果】
【００１６】
本発明により、装置が小型で低騒音でありながら、換気速度が大きく、実際の生活空間に於いても有効にアレルゲン物質の除去が可能である空気清浄機を提供することが出来る。
【図面の簡単な説明】
【００１７】
【図１】軸流ファンの下流側（排気側）に不織布からなるフィルターを設置した空気清浄機の軸流ファンとフィルターの配置図。
【図２】軸流ファンの上流側（吸気側）に不織布からなるフィルターを設置した空気清浄機の軸流ファンとフィルターの配置図。
【図３】軸流ファンの下流側（排気側）と上流側（吸気側）に不織布からなるフィルターを設置した空気清浄機の軸流ファンとフィルターの配置図。
【図４】比較例１のファンの回転数が５００ｒｐｍの場合のグローブボックス内部の浮游粒子の減少の様子。
【図５】実施例１のファンの回転数が１１００ｒｐｍの場合のグローブボックス内部の浮游粒子の減少の様子。
【図６】実施例２のファンの回転数が２０００ｒｐｍの場合のグローブボックス内部の浮游粒子の減少の様子。
【図７】実施例３のファンの回転数が２０００ｒｐｍの場合のグローブボックス内部の浮游粒子の減少の様子。
【図８】実施例４のファンの回転数が３２００ｒｐｍの場合のグローブボックス内部の浮游粒子の減少の様子。
【図９】実施例５のファンの回転数が１１００ｒｐｍの場合の６畳間の室内の浮游粒子の減少の様子。
【図１０】実施例６のファンの回転数が２０００ｒｐｍの場合の６畳間の室内の浮游粒子の減少の様子。
【発明を実施するための形態】
【００１８】
本発明の空気清浄機は軸流ファンを搭載し、軸流ファンの羽根に対峙する形で通気量が１００ｍｌ／ｃｍ２／秒以上である通気性の良好な不織布を設置する構造を有する。この不織布が本発明の目的である大気中に浮游するアレルゲン物質を除去するためのフィルターとして機能することが特徴で、こうした通気性の良好な不織布と軸流ファンとの組み合わせで装置が小型で低騒音でありながら、換気速度が大きく、実際の生活空間に於いても有効に大気中のアレルゲン物質の除去が可能である空気清浄機を提供することが出来ることを見出したことが本発明の骨子である。
【００１９】
本発明に於いて目的とする大気中に浮游するアレルゲン物質としては、カビ菌、花粉、ダニの糞や死骸等の生物由来のアレルゲン物質を挙げることが出来る。これらは皮膚細胞や気道上皮細胞に付着することで免疫反応を引き起こし、様々なアレルギー反応を引き起こすことが知られている。アレルゲン物質の種類は極めて多種多様であるが、その大きさから区分すると、一部のカビ胞子等は０．５〜１μｍ程度の大きさであるが、その他の大部分のアレルゲン物質は１μｍ以上の大きさである。本発明では、こうした範囲の粒子径を有するアレルゲン物質の実生活空間からの有効な除去を目的に検討を行い、本発明に至ったものである。
【００２０】
本発明に於いて用いることの出来る軸流ファンとしては、モーターの軸の周りに回転する羽根を有する構造であれば任意の形状のものが使用可能であるが、羽根の回転速度と、これから送風される風量については好ましい範囲が存在する。軸流ファンの羽根が回転することで、羽根の回転に沿った運動により大気中のアレルゲン物質が慣性力を与えられる。図１において矢印にて示すように、軸流ファン１の回転により図中右から左へ空気が流れ、軸流ファン１の下流側（排気側）に上記の不織布２が設置され、不織布２の面が軸流ファン１の羽根が回転する面６と平行に置かれた場合、不織布２に対して斜めの方向から渦巻き状に回転しながら大気中に浮游するアレルゲン物質が衝突することになる。本発明に於いて使用する不織布２は通気量が１００ｍｌ／ｃｍ２／秒以上である通気性の良好な不織布を使用するため、アレルゲン物質が不織布２の面に対して垂直方向で入射した場合には、容易に不織布２の繊維間隙を通過するため、アレルゲン物質の捕捉は困難であるが、不織布２の平面に対して斜め方向からアレルゲン物質が入射した場合、不織布２の繊維で構成される断面に斜め方向に侵入することで通過すべき距離が長くなることから、アレルゲン物質の捕捉が可能となることが本発明の特徴の一つである。或いは図２に示すように、軸流ファンの上流側（吸気側）に上記の不織布２が設置されている場合についても同様に、吸気される大気中のアレルゲン物質は不織布２に対して斜めの方向から渦巻き状に回転しながら入射することから同様に不織布２に捕捉されることになる。更に、図３に示すように、軸流ファンの下流側（排気側）と上流側（吸気側）に不織布２および２′を設置した場合には、吸気側と排気側の両方に於いてアレルゲン物質の捕捉が行われるため、更に空気清浄効果が高くなり、好ましく用いることが出来る。なお、図１〜３において、吸気口３において、圧力損失を伴わない程度の、メッシュ状のフィルター等を設置して、空気清浄機内部への粗大なゴミの流入を防いだり、或いは排気口４においても同様に圧力損失を伴わない程度の、メッシュ状のフィルターやプラスチック或いは金属製のグリルガード等を設置して、装置内部への異物の侵入を防いだり、或いは、両方の場合において、ファンに人や物の接触することを防止する等の安全面での対策を講じることも極めて好ましく行うことが出来る。
【００２１】
上記の不織布の面と軸流ファンの羽根の回転面とは平行である場合が好ましいが、場合によっては不織布の面が軸流ファンの羽根の回転面と角度を以て（好ましくは±５０度以内）対峙している場合であっても良い。不織布の面は必ずしも平面である必要はなく、凹凸を持った面や様々な周期で折り込みを付けた不織布等、プリーツ加工や、或いはコルゲート加工等が施された不織布を用いることも出来る。
【００２２】
図１〜３において、不織布２（および２′）と軸流ファン１の距離については好ましい範囲が存在し、両者の距離が６０ｃｍ以下である場合が好ましく、３０ｃｍ以下である場合が更に好ましい。或いは、両者の距離が０．５ｃｍ未満である場合には軸流ファン１と不織布２（および２′）が接触する場合がある。従って、両者の好ましい距離として０．５〜３０ｃｍの範囲である場合が好ましい。
【００２３】
不織布２（および２′）と軸流ファン１を収納する空気清浄機の構造について、不織布２（および２′）と軸流ファン１の間の空間は外部に対して密閉されている場合が好ましく、この部分に隙間がある場合には、不織布２（および２′）を通過する風量が減少し、更に軸流ファン１の騒音が装置外部に漏れ出すことで問題になる場合がある。更に、図１および図３の構成に於いては、不織布２（および２′）と筐体５の内面の間には空間を設けず、軸流ファン１から送風される風が不織布２（および２′）を通して排風される構造が好ましい。図２の構成の場合には、同様に不織布２と筐体５の内面の間には空間を設けず、吸気が不織布２を通して軸流ファン１に送られる構造が好ましい。
【００２４】
更に、図１〜３において、吸気口３および排気口４は必ずしも図に示されるような直線的な配置を取る必要はなく、それぞれ独立して筐体５の側面に開口していても良く、この場合、筐体５の側面とは、ファンの回転面６に対してこれと直角に交わる角度に面することになり、側面として上下左右の４面の全て、もしくは何れかの面に於いて開口していても良い。このような場合、ファンの回転面６に平行な筐体５の端面は閉じた構造を取っても良く、この場合、ファンの回転面６は床面と平行に配置し、室内の天井或いは周囲に向けて排風が行われるような縦置きであっても良い。
【００２５】
更に、不織布２（および２′）と軸流ファン１を収納する空気清浄機本体の筐体５の内部には、発生する騒音を低減するための吸音材を導入し、騒音低減を行うことも好ましく行うことが出来る。吸音材としてはウレタンゴムや天然ゴムなどから構成されるシート状の材料を、筐体内部に張り合わせる方法が好ましく行われ、軸流ファンが高速回転する場合に風切り音以外に振動音が発生する場合には、制振効果を有する制振材としてのブチルゴムなども好ましく使用することが出来る。
【００２６】
本発明に於いて用いることが出来る不織布としては、上記の通気性の良好である不織布を用いることから、軸流ファンによって送風される風圧に対する圧力損失の程度が極めて軽微になることが特徴の一つである。従って、本発明で与えられる空気清浄機は風量が極めて大きく出来ることが特徴の一つであるが、こうした構造の空気清浄機によって大気中のアレルゲン物質を有効に捕捉するためにはファンの羽根の回転数が極めて重要になる。本発明においては、ファンの回転数として１０００ｒｐｍ以上である場合において大気中のアレルゲン物質の上記の不織布による捕捉が可能になることを見出したものである。
【００２７】
本発明に於いて大気中のアレルゲン物質を不織布により捕捉するための機構としては、所謂慣性捕集機構による粒子の捕捉機構を利用するものである。文献として、例えば、高橋武士、「エアロゾル研究」、Ｖｏｌ．３、Ｎｏ．４（１９８８）、２８３−２９１頁に記載されるように、不織布繊維によって大気中のアレルゲン物質の運動が遮られる場合、アレルゲン物質の大きさが大きいほど慣性力の働きによりアレルゲン物質が繊維に衝突する確率が高くなる機構を利用するものである。従って、この場合、アレルゲン物質の運動速度が大きいほど慣性力の効果も大きくなることから、アレルゲン物質の捕捉効果は、その運動速度と、粒子としての大きさの２つの因子で決定されることになる。後述する実施例に於いて示すように、本発明に於いて、実際に軸流ファンの羽根の回転数を様々に変化させた場合のアレルゲン物質の捕捉効果を調べた結果、羽根の回転数が１０００ｒｐｍを超えた場合に初めて有効な捕捉効果を見出したものである。これ以下の回転速度の場合には、大気中のアレルゲン物質は上記の不織布に捕捉されず、空気清浄能力が発揮出来ない場合がある。
【００２８】
次に、本発明の空気清浄機の風量についても好ましい範囲が存在し、風量が４ｍ３／分以上である場合、実際の生活空間に於いても有効にアレルゲン物質の除去が可能である空気清浄機が実現出来ることを見出したものである。実際の生活空間の大きさとしては、例えば６畳間の居室を取り上げた場合、その実質内容積は大凡２０ｍ３になる。従って風量が４ｍ３／分以上である空気清浄機で室内の空気を不織布を通して濾過（換気）する場合、大凡５分で部屋全体の空気を１回換気することになり、１時間では１２回の換気回数となる。生活空間の大きさがこれより大きい場合には、当然時間当たりの換気回数が減少し、１２畳では時間当たり約６回、２４畳では大凡３回となる。このような換気回数である場合、上記の回転速度を以て軸流ファンと上記の不織布の組み合わせで、実際の生活空間として６〜２４畳程度の範囲であれば十分に大気中のアレルゲン物質の除去が可能であることを見出したものである。風量が上記の値を下回る場合、生活空間として６畳の部屋を想定した場合でも空気清浄効果即ち、大気中のアレルゲン物質の除去効果が十分でない場合がある。
【００２９】
上記の風量を軸流ファンを用いて実現するためには、軸流ファンに対峙して設置される上記の不織布の通気性が重要になる。本発明に於いて好ましく使用される不織布の通気量としては、１００ｍｌ／ｃｍ２／秒以上である不織布を用いる。通気量がこの値より小さい不織布を用いた場合、軸流ファンによる風圧に対する圧力損失が大きくなり、不織布を通過する風量が上記の４ｍ３／分を下回る場合がある。更に、ファンから送風される風が不織布に衝突する際の騒音が顕著になる場合がある。不織布の通気量として更に好ましい範囲は１５０〜大凡２０００ｍｌ／ｃｍ２／秒の範囲である。この範囲を超える通気量の不織布を使用した場合、不織布繊維の目付が小さくなるためアレルゲン物質の捕捉が十分に行われない場合がある。不織布の目付としては通常５〜１５０ｇ／ｍ２の範囲である場合に上記の通気量が実現出来るため好ましく利用することが出来る。また、不織布の厚みに関しても、上記の通気量を確保するためには、通常０．０４〜１ｍｍの範囲である場合が好ましい。
【００３０】
上記の不織布を形成する繊維の太さについては特に制限はないが、通気量が同じであれば繊維の径が細い方がアレルゲン物質を捕捉する効果が高くなるため好ましく用いることが出来る。通常、用いられる繊維の直径としては０．１〜１００μｍの範囲の繊維が好ましく用いることが出来る。更に、不織布を構成する繊維の長さとして１ｍｍ以上の短繊維から繊維長さが無限大である場合に、不織布の強度が高く、風圧に対して十分な強度を示すことから好ましく用いることが出来る。
【００３１】
不織布を形成する繊維の材質に関しては、一般の不織布に使用される各種の繊維が使用出来、具体的には綿、麻、セルロースパルプ等の植物由来天然繊維、羊毛、絹等の動物由来天然繊維、レーヨン、ビニロン、ポバール、ナイロン、ポリエステル、ポリ乳酸、ポリウレタン、ポリエチレン、ポリプロピレン、アクリル系、アラミド等の化学繊維、或いはガラス繊維、炭素繊維、金属繊維等を挙げることが出来る。本発明ではこれらの繊維を、各々単独或いはこれらを複数組み合わせて製造される不織布を用いることが出来る。
【００３２】
上記の不織布を形成するための製造方法としては従来から行われている種々の製造方法によるものが用いられ、具体的には空気流を利用する乾式法、水流を利用する湿式法および溶融した繊維を利用するスパンボンド法、メルトブローン法等が製造方法として用いられ、また不織布を構成する繊維を結合する方法としては、接着剤を用いるケミカルボンド法、熱融着を利用するサーマルボンド法、ニードルに刻まれる突起を利用して繊維を絡ませるニードルパンチ法、高圧水流を利用するスパンレース法など様々な方法を利用することが出来る。これらの種々の方法を単独で用いて製造された不織布や、これらを組み合わせて製造された例えばＳＭＳ不織布と称されるスパンボンド法（Ｓ）とメルトブローン法（Ｍ）により製造された不織布を組み合わせて製造されるような複合型の不織布を用いることも出来る。
【００３３】
本発明に於いて用いることの出来る不織布として、更に不織布を構成する繊維表面に界面活性剤による親水性を付与した繊維を利用した不織布や、撥水加工を施した不織布、或いはコロナ放電処理を行って繊維表面の改質を行う場合や、或いは難燃加工や帯電加工処理など様々な処理を施した不織布を好ましく用いることが出来る。本発明に於いて特に好ましく用いることの出来る不織布としては、不織布に種々の粘着剤を塗布した不織布と、コロナ放電処理を行い、帯電加工した不織布の２種類を挙げることが出来る。これらの処理を施した不織布を利用することで、大気中のアレルゲン物質の捕捉が促進されると共に、捕捉したアレルゲン物質を不織布に強固に固着させ、不織布からの再飛散を防止する効果が発揮出来ることから好ましく用いることが出来る。この際、粘着剤としてはアクリル系粘着剤やシリコーン系粘着剤、或いは天然ゴム系粘着剤、ウレタン系粘着剤等の市販される種々の粘着剤を好ましく用いることが出来る。粘着剤を不織布に塗布する方法については下記に於いて示す。
【００３４】
上記の粘着剤を不織布に塗布を行う際の塗布方法としては、従来から知られる様々な塗布方法を用いることが出来る。例えば、塗布用ロール表面に粘着剤を含有する塗布液を送液し、これを繊維基材に転写するグラビア塗布方式、或いはキスコート方式、ブレードコート方式等も使用することが出来るが、好ましくはスプレー塗布やファウンテン塗布、スライド塗布、カーテン塗布、スロットダイ塗布方式等の塗布装置と不織布が機械的に直接接触せず、塗布液のみが不織布上に送液される方法が好ましい。更には、不織布を該塗布液中に含浸する含浸加工（ディップ塗布方式）も好ましく行うことが出来るが、この場合には含浸した不織布から過剰の塗布液を除去するため、含浸工程に続いてロール間で液を絞り取る方式やドクターブレードで余分な液を掻き落とす方式、エアブレードを同様な目的で使用する方法等が好ましく使用される。
【００３５】
本発明の目的は上記の構成要素を用いて達成されるが、更にその他の機能を付与する目的で様々な素材を上記の塗布液に添加して塗布を行い、複合的な機能を付与した不織布を用いることも可能である。例えば、抗菌作用を付与する目的で、抗菌剤として、例えば、各種フラボノイド等の有機抗菌剤や、或いは、無機抗菌剤として、各種銀イオン系化合物やこれらと組み合わせて用いることの出来る光触媒酸化チタンを併せて用いることで、本発明で用いる不織布に、更に抗菌性を付与することも可能である。或いは、防かび性を付与する目的で、防かび剤として、種々の４級アンモニウム塩化合物が好ましく使用出来、例えば塩化ベンザルコニウム、塩化セチルピリジニウム、塩化ジデシルジメチルアンモニウムや、ジェミニ型の４級アンモニウム塩として、例えば、３，３′−（２，７−ジジオキサオクタン）ビス（１−アルキルアンモニウムブロマイド）等が好ましく用いることが出来る。
【００３６】
以下に実施例によって本発明を更に詳しく説明するが、本発明はこれらの実施例に限定されるものではない。なお、実施例中の百分率は断りのない限り質量基準である。
【実施例】
【００３７】
（実施例１〜６および比較例１、２）
軸流ファンとして、オリエンタルモーター株式会社から販売される可変速ファンＭＲＳ１８Ｖ２を使用した。ファンの寸法は、ファンの前面および後面は１８ｃｍ×１８ｃｍの正方形で、側面の幅は９ｃｍの小型のファンを使用した。ファンの回転数は可変抵抗器により０〜３２００ｒｐｍの間で任意に調整が可能であることから、種々の回転数に設定して以下の試験を行った。ファンから発生する騒音レベルは最大回転数において６０デシベルであったが、ファンの周囲を下記に示すように吸音材で囲うことで３５デシベル以下の騒音レベルに低下することが出来た。ファンから送風される風速は、アネモマスター風速計モデル６０１１（日本科学工業株式会社製）を用いて、不織布フィルターを通して送風される風速の測定を行った。風量は、風速にファン前面の送風面積を掛け合わせて求めた。回転数が３２００ｒｐｍの場合、不織布を設置しない場合のファンの風量は１２ｍ３／分であった。不織布を設置すると、その圧力損失に応じて風量は減少した。
【００３８】
幅２０ｃｍ×長さ５０ｃｍ×厚み０．３ｃｍのアクリル板４枚を使用して筐体を作製し、上記の軸流ファンを筐体内部の中央部に固定した。この際、４枚のアクリル板内面にウレタンとブチルゴムを積層した厚み１１ｍｍの吸音シートを張り合わせて筐体内面に吸音材を取り付けた。ファンの前面に、図１に示した配置で、ファンの羽根が回転する面の羽根の先端から距離１ｃｍをおいて不織布を取り付けた。不織布としてポリエステル繊維からなる不織布（スパンボンド不織布、三井化学（株）製、シンテックスＭＹ、銘柄Ｒ−０５５、目付１８ｇ／ｍ２、厚み０．１０ｍｍ、通気量７８０ｍｌ／ｃｍ２／秒）を用い、不織布は筐体内面との間に空間が生じないようにプラスチックの枠を取り付け、枠に不織布を固定して、ファンから送風される風は全て不織布を通るように設置した。プラスチック枠は風を遮る構造でなく、単に不織布を固定する枠として使用した。
【００３９】
実験を行う場所として、本発明者の居住する６畳間の室内を選んだ。即ち、本発明の実施例として、実生活空間の大きさを６畳間の室内として評価を行った。この広さの室内空間に浮游する様々な微粒子の内、アレルゲン物質に相当する大きさの微粒子として特に１μｍ以上の大きさの微粒子の大気中濃度（個数／リットル）を測定し、この濃度が空気清浄機を稼働した際に、初期濃度に対してこれが１／１０に減少するまでの時間を測定し、この時間が３時間以内である場合に空気清浄効果があると判定し、これ以上の時間を要する場合には、空気清浄効果がないと判定した。実験は３月中旬の快晴日を選び、杉花粉の飛散時期に合わせ、室内の窓を開放して十分外気を取り込んだ室内に、グローブボックス（内容積＝５０ｃｍ×５０ｃｍ×９０ｃｍ＝０．２２５ｍ３）を設置し、室内を密閉して以下の実験を行った。グローブボックスの内容積は６畳の室内の約１／１００であった。グローブボックスを開放して室内の空気を取り入れ、次に、上記の空気清浄機をグローブボックス内に設置し、密閉した。グローブボックス内に浮游する微粒子の数を計測するため、パーティクルセンサ（オムロン株式会社製、エアパーティクルセンサ、ＺＮ−ＰＤ０３Ｓ、微粒子計測タイプ）を使用して測定を行った。
【００４０】
グローブボックス内のファンのスィッチをＯＮにしてファンを回転させると同時にパーティクルセンサによる浮游粒子数の計測を開始した。パーティクルセンサは計測する粒子を大きさに従って３水準に分けて計測を行う仕組みになっており、それらは０．３μｍ、０．５μｍおよび１μｍ以上の３水準の粒子径に分類して計測を行った。ファンの回転が始まると同時に各々の粒子の数は次第に減少したが、減少速度はファンの回転数と粒子の大きさに大きく依存し、ファンの回転数の増加と共に全ての粒子径の浮游微粒子の数の減少が観察された。また、粒子径が大きい粒子ほど迅速に減少した。これらを数値的に評価するため、元の粒子の数が１／１０に減少する時間を以て除去能力の目安とした。先ず、比較例１として、ファンの回転数を５００ｒｐｍに設定して実験を行った。この場合の風量は３ｍ３／分であった。図４は、比較例１のファンの回転数が５００ｒｐｍの場合のグローブボックス内部の浮游粒子の減少の様子を表す。グローブボックス内において１μｍ以上の浮游粒子は約１０分で元の１／１０まで減少したが、これより大きさの小さい粒子は１時間以上測定を行ったが、元の１／１０まで減少することはなかった。グローブボックスの内容積は実際の生活空間である６畳間の広さの約１／１００であるため、実際の生活空間ではこれの約１００倍の時間を要することになり、本比較例１の場合、１μｍ以上の浮游粒子が元の１／１０まで減少するために要する時間は大凡１７時間を要することになり、空気清浄効果は無いと判定した。
【００４１】
次に、実施例１として、ファンの回転数を１１００ｒｐｍに設定した以外は同様にして測定を行った。図５は実施例１のファンの回転数が１１００ｒｐｍの場合のグローブボックス内部の浮游粒子の減少の様子を表す。この場合の風量は４．５ｍ３／分であった。グローブボックス内において１μｍ以上の浮游粒子は約５０秒で元の１／１０まで減少した。０．５μｍ粒子の数は４分で元の数の１／１０に減少したが、０．３μｍ粒子は約１時間を要して１／１０に減少した。グローブボックスの内容積は実際の生活空間である６畳間の広さの約１／１００であるため、実際の生活空間ではこれの約１００倍の時間を要することになり、本実施例１の場合、１μｍ以上の浮游粒子が元の１／１０まで減少するために要する時間は大凡１．４時間となることから、アレルゲン物質の大きさに相当する１μｍ以上の浮游粒子に対する空気清浄効果はあると判定した。
【００４２】
更に、実施例２として、ファンの回転数を２０００ｒｐｍに設定した以外は同様にして測定を行った。図６は実施例２のファンの回転数が２０００ｒｐｍの場合のグローブボックス内部の浮游粒子の減少の様子を表す。この場合の風量は６．１ｍ３／分であった。グローブボックス内において１μｍ以上の浮游粒子は約３０秒で元の１／１０まで減少した。０．５μｍ粒子の数は約４５秒で元の数の１／１０に減少したが、０．３μｍ粒子は約３分を要して１／１０に減少した。グローブボックスの内容積は実際の生活空間である６畳間の広さの約１／１００であるため、実際の生活空間ではこれの約１００倍の時間を要することになり、本実施例１の場合、１μｍ以上の浮游粒子が元の１／１０まで減少するために要する時間は大凡１時間となることから、アレルゲン物質の大きさに相当する１μｍ以上の浮游粒子に対する空気清浄効果はあると判定した。
【００４３】
また、実施例３として、空気清浄機に取り付けた不織布の配置を排気側から図２に示したように吸気側に置き換えた以外は同様にして測定を行った。ファンの回転数を２０００ｒｐｍに設定して同様に測定を行った。図７は実施例３のファンの回転数が２０００ｒｐｍの場合のグローブボックス内部の浮游粒子の減少の様子を表す。この場合の風量は５．５ｍ３／分であった。グローブボックス内において１μｍ以上の浮游粒子は約５０秒で元の１／１０まで減少した。０．５μｍ粒子の数は約１分で元の数の１／１０に減少したが、０．３μｍ粒子は約１５分を要して１／１０に減少した。グローブボックスの内容積は実際の生活空間である６畳間の広さの約１／１００であるため、実際の生活空間ではこれの約１００倍の時間を要することになり、本実施例１の場合、１μｍ以上の浮游粒子が元の１／１０まで減少するために要する時間は大凡１．５時間となることから、アレルゲン物質の大きさに相当する１μｍ以上の浮游粒子に対する空気清浄効果はあると判定した。
【００４４】
次に、実施例４として、空気清浄機に取り付ける不織布の配置を図３に示したように排気側と吸気側の両方に設置して同様にして測定を行った。ファンの回転数を３２００ｒｐｍに設定して同様に測定を行った。図８は実施例４のファンの回転数が３２００ｒｐｍの場合のグローブボックス内部の浮游粒子の減少の様子を表す。この場合の風量は７ｍ３／分であった。グローブボックス内において１μｍ以上の浮游粒子は約３０秒で元の１／１０まで減少した。０．５μｍ粒子の数は約４５秒で元の数の１／１０に減少し、０．３μｍ粒子は約２分を要して１／１０に減少した。グローブボックスの内容積は実際の生活空間である６畳間の広さの約１／１００であるため、実際の生活空間ではこれの約１００倍の時間を要することになり、本実施例１の場合、１μｍ以上の浮游粒子が元の１／１０まで減少するために要する時間は大凡１時間となることから、アレルゲン物質の大きさに相当する１μｍ以上の浮游粒子に対する空気清浄効果はあると判定した。
【００４５】
実施例５として、グローブボックス内から空気清浄機を取り出し、６畳間の室内中央において高さが５０ｃｍの机の上に設置した。部屋は密閉した状態で測定を行った。実施例１の場合と同様にファンの排気側のみに不織布を設置し、ファンの回転数を１１００ｒｐｍに設定して実際の生活空間における浮游粒子の除去効果について同様に測定を行った。図９は実施例５のファンの回転数が１１００ｒｐｍの場合の６畳間の室内の浮游粒子の減少の様子を表す。この場合の風量は４．５ｍ３／分であった。室内において１μｍ以上の浮游粒子は約１時間で元の１／１０まで減少した。０．５μｍ粒子の数も約２時間で元の数の１／１０に減少したが、０．３μｍ粒子は約３時間を要しても１／１０に減少することはなかった。先の実施例１では室内空間の１／１００の大きさのグローブボックスを使用して同様な測定を行い、その結果から類推して１μｍ以上の浮游粒子が元の１／１０まで減少するために要する時間は大凡１．４時間としていたが、本実施例５でその推測を裏付ける結果が得られ、アレルゲン物質の大きさに相当する１μｍ以上の浮游粒子に対する空気清浄効果はあると判定した。
【００４６】
上記の実施例５で使用した不織布を取り出し、光学顕微鏡および走査型電子顕微鏡を使用して、不織布に捕捉された浮游粒子の観察を行ったところ、不織布の全面に亘って粒子径が４０μｍ程度の球形の杉花粉と認められる粒子が観察された。また、これと共に、光学顕微鏡観察において、繊維くずと共に大きさが５０μｍ前後の白色の粉状の物質が捕捉されており、走査型電子顕微鏡で拡大観察した結果、チリダニの糞と推定された。これらの数と大きさから、実施例５で捕捉された粒子径１μｍ以上の浮游粒子にこうしたアレルゲン物質が含まれることが明らかになると共に、実際の室内空間からこれら粒子径１μｍ以上の浮游粒子が有効に除去されていることから、アレルゲン物質の大きさに相当する１μｍ以上の浮游粒子に対する空気清浄効果はあると判定した。
【００４７】
更に実施例６として、実施例５の空気清浄機のファンの回転数を２０００ｒｐｍに設定し、風量を求めたところ６．１ｍ３／分であった。この実施例では、アレルゲン物質の濃度を増やした場合の除去効果を見るために、アレルゲン物質のモデル物質として、平均粒子径１．８μｍの合成シリカ微粒子（富士シリシア株式会社製、サイリシア３５０）を室内に微量散布して同様に測定を行った。図１０は、実施例６のファンの回転数が２０００ｒｐｍの場合の６畳間の室内の浮游粒子の減少の様子を表す。この場合、散布した合成シリカ微粒子により室内の浮游粒子の分布が大きく変化し、１μｍ以上の粒子数はファンの可動と共に最大１５０００個／リットルまで増加したが、約４０分で元の１／１０まで減少した。また、０．５μｍ粒子も同様に最大７５００個／リットルまで増加したが、約４０分で元の１／１０まで減少した。一方、０．３μｍ粒子の数は最大で１２０００個／リットルまで増加し、約３時間を要して元の１／１０まで減少した。以上の結果より、本実施例に於いてもアレルゲン物質の大きさに相当する１μｍ以上の浮游粒子に対する空気清浄効果はあると判定した。
【００４８】
また、比較例２として、ファンの回転数を６００ｒｐｍに設定した以外は上記実施例６と同様にして測定を行った。この場合の風量は３．５ｍ３／分であった。この場合においては、室内に浮游する何れの大きさの粒子の数も３時間を経過しても殆ど変化せず、１μｍ以上の粒子数は減少しなかった。
【００４９】
（実施例７）
実施例１〜６で使用した不織布に代えて、ポリエステル繊維からなる不織布（スパンボンド不織布、三井化学（株）製、シンテックスＭＹ、銘柄Ｒ−０３３、目付１００ｇ／ｍ２、厚み０．４２ｍｍ、通気量１４０ｍｌ／ｃｍ２／秒）を用い、ファンの回転数を３０００ｒｐｍに設定した以外は実施例６と同様にして測定を行った。この場合の風量は４．９ｍ３／分であった。実施例６と同様にして、アレルゲン物質のモデル物質として、平均粒子径１．８μｍの合成シリカ微粒子を室内に散布して同様に測定を行った結果、実施例６と同等の結果を得たことから本実施例に於いてもアレルゲン物質の大きさに相当する１μｍ以上の浮游粒子に対する空気清浄効果はあると判定した。
【００５０】
（実施例８）
実施例１〜６で使用した不織布と同様の不織布に対して、粘着剤としてアクリル系粘着剤溶液（２−エチルヘキシルアクリレート−エチルアクリレート共重合体溶液を使用）を不織布に含浸加工した不織布を作製した。ファンの回転数を２５００ｒｐｍに設定して実施例６と同様にして測定を行った。この場合の風量は５．８ｍ３／分であった。実施例６と比較して、１μｍ以上の粒子数は約３０分で元の１／１０まで減少した。また、０．５μｍ粒子も約３５分で元の１／１０まで減少した。一方、０．３μｍ粒子の数は約１時間３０分を要して元の１／１０まで減少したことから本実施例に於いてもアレルゲン物質の大きさに相当する１μｍ以上の浮游粒子に対する空気清浄効果はあると判定した。測定後の不織布を取り出して、光学顕微鏡で表面を観察したところ、不織布繊維表面に合成シリカ微粒子と共に様々なゴミが付着し、指で擦っても取れない程度に強固に接着している様子が確認出来た。
【００５１】
（実施例９）
実施例１〜６で使用した不織布と同様の不織布に対してコロナ帯電処理を行い、表面電位計で測定したところ、表面電位が約１０００Ｖに帯電している不織布が作製出来ていた。ファンの回転数を２０００ｒｐｍに設定して実施例６と同様にして測定を行った。この場合の風量は６．０ｍ３／分であった。実施例６と同様にして、アレルゲン物質のモデル物質として、平均粒子径１．８μｍの合成シリカ微粒子を室内に散布して同様に測定を行った結果、実施例６と比較して、１μｍ以上の粒子数は約３０分で元の１／１０まで減少した。また、０．５μｍ粒子も約３０分で元の１／１０まで減少した。一方、０．３μｍ粒子の数は約１時間を要して元の１／１０まで減少したことから本実施例に於いてもアレルゲン物質の大きさに相当する１μｍ以上の浮游粒子に対する空気清浄効果はあると判定した。
【００５２】
（比較例３）
実施例１で使用した不織布に代えて、ポリエステル繊維からなる不織布（スパンボンド不織布、ユニチカ（株）製、マリックス、銘柄８２００７ＢＳＯ、目付２００ｇ／ｍ２、厚み０．５８ｍｍ、通気量８０ｍｌ／ｃｍ２／秒以下）を用い、ファンの回転数を３０００ｒｐｍに設定した以外は実施例１と同様にしてグローブボックス内で測定を行った。この場合には、ファンからの風は不織布を通過せず、背面に排風された。グローブボックス内の浮游粒子数も減少せず、空気清浄効果は認められなかった。
【００５３】
以上の実施例から、本発明の空気清浄機が、実生活空間において大気中に浮游する様々なアレルゲン物質として、特に粒子径が１μｍを超える浮游粒子の捕捉性能に優れ、これを実生活空間から有効に除去出来る性能を有することが明らかとなった。
【産業上の利用可能性】
【００５４】
本発明により得られる空気清浄機とそれに用いるフィルターは小型で安価であり、特にフィルターは通気性の良好である不織布を利用出来ることから極めて安価なフィルターとして利用可能である。これにより、様々なアレルゲン物質の除去以外に、換気量が大きい特性を生かし、様々な作業現場や工事現場における粉塵の除去に有効に利用出来、特に人体に有害であるアスベストの除去やその他の有害物質が浮遊する場所において有効に利用することが可能である。
【符号の説明】
【００５５】
１    軸流ファン
２    不織布フィルター
２′  不織布フィルター
３    吸気口
４    排気口
５    筐体
６    ファンの回転面
【図１】
2013210162.tif 000002
【図２】
2013210162.tif 000003
【図３】
2013210162.tif 000004
【図４】
2013210162.tif 000005
【図５】
2013210162.tif 000006
【図６】
2013210162.tif 000007
【図７】
2013210162.tif 000008
【図８】
2013210162.tif 000009
【図９】
2013210162.tif 000010
【図１０】
2013210162.tif 000011